(57)【要約】【課題】  開封口の面積を拡げることができる開封方向とは異なる方向に開封片がめくられ、包装体の開封作業が困難になることを防止することができる包装体を提供する。【解決手段】  筒状の内容物１１０を包装する包装体１００であって、筒状に形成され、内容物の外周面を覆う合成樹脂製の包装フィルム本体１と、包装フィルム本体の外周面上に位置する合成樹脂製の開封片２と、包装フィルム本体と開封片とを溶着して形成し、包装フィルム本体の周方向に直線状に伸延する第１溶着部３と、を備え、開封片は、第１溶着部の伸延方向と交差する斜め方向に向かう開封方向を示す開封方向表示部２１を有する。【選択図】      図２
0003208015.tif 000002
【実用新案登録請求の範囲】
【請求項１】
筒状の内容物を包装する包装体であって、
筒状に形成され、前記内容物の外周面を覆う合成樹脂製の包装フィルム本体と、
前記包装フィルム本体の外周面上に位置する合成樹脂製の開封片と、
前記包装フィルム本体と前記開封片とを溶着して形成し、前記包装フィルム本体の周方向に直線状に伸延する第１溶着部と、を備え、
前記開封片は、前記第１溶着部の伸延方向と交差する斜め方向に向かう開封方向を示す開封方向表示部を有する、包装体。
【請求項２】
前記開封方向表示部は、前記開封片の外側表面に付されたマークである、請求項１に記載の包装体。
【請求項３】
前記マークは、前記開封方向を向く矢印である、請求項２に記載の包装体。
【請求項４】
前記開封片の周縁は前記開封方向を向く矢印を描くように形成され、該開封片の周縁が前記開封方向表示部を構成する、請求項１に記載の包装体。
【請求項５】
前記開封片は、前記包装フィルム本体の一方の端部の近傍に位置し、前記開封方向は前記一方の端部に向かう方向である、請求項１乃至４の何れかに記載の包装体。
【請求項６】
前記包装フィルム本体は、その両端部をそれぞれ結紮する結紮部を有する、請求項１乃至５の何れかに記載の包装体。
【請求項７】
前記開封片は、前記包装フィルム本体の一方の端部の近傍に位置し、
前記包装フィルム本体と前記開封片とを溶着して形成し、前記第１溶着部の前記包装フィルム本体の前記一方の端部側に位置する第２溶着部を更に備える、請求項１乃至６の何れかに記載の包装体。
【考案の詳細な説明】
【技術分野】
【０００１】
本考案は、包装体に関する。
【背景技術】
【０００２】
従来から包装体を開封するための開封片が溶着された包装体が知られている。
【考案の概要】
【考案が解決しようとする課題】
【０００３】
しかし、従来の包装体は、開封片を誤った開封方向にめくり、その結果包装体の開封作業が困難になる場合があるという問題があった。
【課題を解決するための手段】
【０００４】
上記課題を解決するため、本考案のある態様に係る包装体は、筒状の内容物を包装する包装体であって、筒状に形成され、前記内容物の外周面を覆う合成樹脂製の包装フィルム本体と、前記包装フィルム本体の外周面上に位置する合成樹脂製の開封片と、前記包装フィルム本体と前記開封片とを溶着して形成し、前記包装フィルム本体の周方向に直線状に伸延する第１溶着部と、を備え、前記開封片は、前記第１溶着部の伸延方向と交差する斜め方向に向かう開封方向を示す開封方向表示部を有する。
【０００５】
この構成によれば、開封口の面積を拡げることができる開封方向とは異なる方向に開封片がめくられ、包装体の開封作業が困難になることを防止することができる。
【０００６】
前記開封方向表示部は、前記開封片の外側表面に付されたマークであってもよい。
【０００７】
この構成によれば、開封方向を判り易く表示することができる。
【０００８】
前記マークは、前記開封方向を向く矢印であってもよい。
【０００９】
この構成によれば、開封方向を更に判り易く示すことができる。
【００１０】
前記開封片の周縁は前記開封方向を向く矢印を描くように形成され、該開封片の周縁が前記開封方向表示部を構成してもよい。
【００１１】
この構成によれば、開封方向を判り易く示すことができる。
【００１２】
前記開封片は、前記包装フィルム本体の一方の端部の近傍に位置し、前記開封方向は前記一方の端部に向かう方向であってもよい。
【００１３】
この構成によれば、開封後において、包装体の他方の端部側の内容物が包装フィルム本体によって覆われた状態を保つことができる。これによって、内容物に直接手が触れることを防止することができる。
【００１４】
前記包装フィルム本体は、その両端部をそれぞれ結紮する結紮部を有していてもよい。
【００１５】
この構成によれば、内容物の密閉を容易に行うことができる。
【００１６】
前記開封片は、前記包装フィルム本体の一方の端部の近傍に位置し、前記包装フィルム本体と前記開封片とを溶着して形成し、前記第１溶着部の前記包装フィルム本体の前記一方の端部側に位置する第２溶着部を更に備えていてもよい。
【００１７】
この構成によれば、前記第１溶着部の前記包装フィルム本体の前記一方の端部側の部分を摘み難くすることができ、開封口の面積を拡げることができる開封方向とは異なる方向に開封片がめくられ、包装体の開封作業が困難になることを更に効果的に防止することができる。
【考案の効果】
【００１８】
本考案は、開封口の面積を拡げることができる開封方向とは異なる方向に開封片がめくられ、包装体の開封作業が困難になることを防止することができるという効果を奏する。
【図面の簡単な説明】
【００１９】
【図１】本考案の実施の形態１に係る包装体の構成例を示す正面図である。
【図２】図１の包装体の構成例を示す要部拡大図であり、包装体の一方の端部を示す図である。
【図３】図１の包装体の使用例を示す要部拡大図であり、包装体の一方の端部を示す図である。
【図４】本考案の実施の形態２に係る包装体の構成例を示す要部拡大図であり、包装体の一方の端部を示す図である。
【図５】本考案の実施の形態３に係る包装体の構成例を示す要部拡大図であり、包装体の一方の端部を示す図である。
【考案を実施するための形態】
【００２０】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２１】
（実施の形態１）
図１は、本考案の実施の形態１に係る包装体１００の構成例を示す正面図である。
【００２２】
図１に示すように、包装体１００は、筒状の内容物１１０を包装する包装体である。筒状の内容物１１０は、例えばソーセージ、チーズ等の食品であるがこれに限られるものではない。包装体１００は、包装フィルム本体１と、開封片２と、第１溶着部３とを備える。
【００２３】
包装フィルム本体１は、合成樹脂製であり、例えばポリ塩化ビニリデン製である。そして、包装フィルム本体１は、例えば帯状のシートフィルムを丸めて側縁部を重ね合わせ、この重ね合わせた部分を溶着し、接合することによって筒状に形成されている。包装フィルム本体１の重ね合わせた部分の溶着は、例えば高周波による熱融着である。
【００２４】
包装フィルム本体１に収容される内容物１１０は、包装フィルム本体１への収容時にはゾル状であり、包装フィルム本体１の内部にノズルを挿入し、このノズルを介して包装フィルム本体１の内部に充填される。そして、内容物１１０を充填した包装体１００に加熱処理を加えることによって、内容物１１０はゲル状となる。このように、包装フィルム本体１は、筒状の内容物１１０の外周面を覆うように構成されている。
【００２５】
図２は、包装体１００の構成例を示す要部拡大図であり、包装体１００の一方の端部を示す図である。
【００２６】
図１及び図２に示すように、包装フィルム本体１は、包装フィルム本体１の両端部をそれぞれ結紮する結紮部１１を含む。結紮部１１は、合成樹脂製の細長い帯状体であり、例えばポリ塩化ビニリデン製のテープである。結紮部１１は、例えば、包装フィルム本体１に内容物１１０を充填した後、包装フィルム本体１を絞り、この絞った部分に溶着し、接合することにより取り付けられている。包装フィルム本体１に対する結紮部１１の取り付けは、例えば高周波による熱融着である。このように、包装フィルム本体１の両端部は、それぞれ結紮部１１によって密閉されているので、内容物１１０の密閉を容易に行うことができる。
【００２７】
開封片２は、合成樹脂製の薄片であり、例えばポリ塩化ビニリデン製の短いテープである。開封片２は、包装フィルム本体の外周面上に位置するように配設される。また、開封片２は、例えば包装フィルム本体１の一方の端部１ａの近傍に位置する。開封片２は、例えば長方形であり、一対の長辺２ａ，２ｂが包装フィルム本体１の周方向に伸延し、一対の長辺２ａ，２ｂを接続する一対の短辺２ｃ，２ｄが包装フィルム本体１の伸延方向に延在するように配設されている。
【００２８】
そして、開封片２の外側表面に開封方向（詳細は後述）を向く矢印のマーク２１が付され、包装体１００の開封方向を示している。マーク２１が包装体１００の開封方向を示す開封方向表示部を構成する。
【００２９】
第１溶着部３は、包装フィルム本体１と開封片２とを溶着して形成され、第１溶着部３を介して開封片２は包装フィルム本体１に取り付けられている。包装フィルム本体１に対する開封片２の取り付けは、例えば超音波による熱融着である。第１溶着部３は、直線状に形成され、包装フィルム本体１の周方向に伸延するように形成されている。
【００３０】
そして、マーク２１が示す開封方向は、第１溶着部３の伸延方向、すなわち包装フィルム本体１の周方向と交差する斜め方向に向かう方向である。また、マーク２１が示す開封方向は、包装フィルム本体１の一方の端部１ａに向かう方向である。すなわち、マーク２１は、開封片２の一対の長辺のうち一方の長辺２ａから他方の長辺２ｂに向かうように伸延している。また、マーク２１は、開封片２の一対の短辺のうち一方の短辺２ｃから他方の短辺２ｄに向かうように傾斜して伸延している。このように、本実施の形態において、開封方向は、開封片２の長辺又は短辺の延在方向と異なる方向である。
【００３１】
［使用例］
次に、包装体１００の使用例を説明する。
【００３２】
図２に示すように、まず、開封片２の一方の長辺２ａ側の部分を摘む。このとき、包装体１００を開封しようとする者は、通常、開封片２に注目する必要があり、この者に開封片２に付されたマーク２１を視認させることができる。これによって、包装体１００を開封しようとする者に開封方向を判り易く示すことができる。また、開封方向を示すマークは矢印であるので、開封方向を一見して理解できるように判り易く示すことができる。
【００３３】
また、包装体１００の開封方向は、開封片２の長辺又は短辺の延在方向と異なる方向であり、開封方向に誤解が生じ易いものであるところ、マーク２１によって、正しい開封方向を理解できるように判り易く示すことができる。
【００３４】
図３は、包装体１００の使用例を示す要部拡大図であり、包装体１００の一方の端部を示す図である。
【００３５】
次に、図３に示すように、開封片２をマーク２１が示す開封方向にめくると、第１溶着部３の端部のうち開封片２の一方の短辺２ｃ側に位置する一方の端部３ａにおいて、包装フィルム本体１が引き裂かれる。
【００３６】
そして、更に開封片２を開封方向に引き上げることによって、第１溶着部３の一方の端部３ａから開封方向に向かう方向、すなわち、第１溶着部３の一方の端部３ａから包装フィルム本体１の一方の端部１ａに向かう第１の方向Ｄ１に向かう方向に包装フィルム本体１を引き裂くことができる。これと同時に、第１溶着部３の伸延方向、すなわち第１溶着部３の一方の端部３ａから他方の端部３ｂに向かう第２の方向Ｄ２に包装フィルム本体１を引き裂くことができる。このように、開封片２を開封方向に引き上げると、包装フィルム本体１の切断線は、第１溶着部３の一方の端部３ａから二手に分かれて伸延する。これによって、包装フィルム本体１の開封口を拡げることができ、包装フィルム本体１の開封作業を容易に行うことができる。
【００３７】
そして、第２の方向Ｄ２に伸延する切断線が第１溶着部３の他方の端部３ｂに達し、そこから更に開封片２を開封方向に引き上げると、第１溶着部３の他方の端部３ｂから開封方向に向かう方向に包装フィルム本体１を引き裂くことができる。すなわち、包装フィルム本体１の第２の方向Ｄ２に伸延する切断線は、第１溶着部３の他方の端部３ｂから開封方向に向かうように方向を変えて伸延する。したがって、開封口の面積を大きくすることができる。よって、更に開封口を拡げるために、開封口の縁に爪を掛けやすくすることができ、包装体１００の開封作業を容易に行うことができる。
【００３８】
また、包装フィルム本体１の切断線は、包装フィルム本体１の一方の端部１ａの近傍において、包装フィルム本体１の一方の端部１ａに向かって形成されるので、切断線が包装フィルム本体１の他方の端部１ｂに向かって形成されることを防止している。これによって、包装体１００の他方の端部（包装フィルム本体１の包装フィルム本体１の他方の端部１ｂ側の端部）側の内容物１１０が包装フィルム本体１によって覆われた状態を保つことができる。これによって、内容物１１０に直接手が触れることを防止することができる。よって、内容物１１０の食品に手が触れ、内容物の喫食時に手が汚れることを防止することができる。
【００３９】
以上に説明したように、本考案の包装体１００は、開封片２の外側表面に開封方向を向く矢印のマーク２１が付され開封方向を示しているので、誤った方向に開封片２がめくられ、開封口の面積が小さくなり、その結果、包装体１００の開封作業が困難になることを防止することができる。すなわち、例えば、包装体１００を開封しようとする者が開封片２をその長手方向、すなわち第１溶着部３の伸延方向にめくり、第１溶着部３が形成されている部分のみを切り取り、その結果、開封口の面積が小さくなり、包装フィルム本体１の開封作業が困難になることを防止することができる。
【００４０】
（実施の形態２）
図４は、本考案の実施の形態２に係る包装体２００の構成例を示す要部拡大図であり、包装体２００の一方の端部を示す図である。
【００４１】
図４に示すように、包装体２００は、上記実施の形態１の包装体１００の構成に加え、更に第２溶着部２０４を備える。
【００４２】
第２溶着部２０４は、第１溶着部３と同様に包装フィルム本体１と開封片２とを溶着して形成されている。そして、第２溶着部２０４は、第１溶着部３の開封片２の他方の長辺２ｂ側の部分に形成されている。第２溶着部２０４は、例えば、一対設けられ、一方は開封片２の一方の短辺２ｃ側の隅角部に形成され、他方は開封片２の他方の短辺２ｄ側の隅角部に形成されている。これによって、包装体１００を開封しようとする者が他方の長辺２ｂ側を摘み難くすることができ、開封片２が他方の長辺２ｂ側からめくられることを防止することができる。また、包装体１００の輸送中に異物との接触により開封片２がめくれ、第１溶着部３において包装フィルム本体１が引き裂かれることを防止することができる。
【００４３】
（実施の形態３）
図５は、本考案の実施の形態３に係る包装体３００の構成例を示す要部拡大図であり、包装体３００の一方の端部を示す図である。
【００４４】
上記実施の形態１において、開封方向表示部は、開封片２の外側表面に付した開封方向を向く矢印のマーク２１である。
【００４５】
本実施の形態において、開封片３０２は、周縁３０２ａが開封方向を向く矢印を描くように形成されている。そして、開封片３０２の周縁３０２ａが開封方向表示部を構成する。
【００４６】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００４７】
１  包装フィルム本体
２  開封片
３  第１溶着部
２１  マーク
１００  包装体
１１０  内容物
【図１】
0003208015.tif 000003
【図２】
0003208015.tif 000004
【図３】
0003208015.tif 000005
【図４】
0003208015.tif 000006
【図５】
0003208015.tif 000007